(57)【要約】      （修正有）【課題】電気柵は害獣が生息する場所である山間部や森林に近接した場所に設置されることが一般的であり、人気がないため特に電気柵本器は盗難の被害にあいやすいので、電気柵本器の盗難を可及的に防止可能な、電気柵本器盗難防止ユニットを提供する。【解決手段】略Ｔ字型を呈すると共に長辺に孔部を有する棒体と、棒体の短辺が通過できない形状の係止孔を有する電気柵本器と、棒体を差し込むための孔部を有する支柱と、棒体が支柱から抜けることを防ぐための錠とにより構成した。【選択図】図１
0003157646.tif 000002
【実用新案登録請求の範囲】
【請求項１】
略Ｔ字型を呈する共に、長辺１２に孔部１３を有する棒体１０と、
棒体１０の短辺１１が通過できない形状の係止孔２１を有する電気柵本器１０と、
棒体１０を差し込むための孔部３１を有する支柱３０と、
棒体１０が支柱３０から抜けることを防ぐための錠４０と、
により成る電気柵本器盗難防止ユニット。
【請求項２】
係止孔２１の形状が略方形又は略円形である請求項１記載の電気柵本器盗難防止ユニット。
【考案の詳細な説明】
【技術分野】
【０００１】
本考案は農耕地や果樹園などに害獣が侵入することを防止するために用いられる電気柵
に関し、より詳しくは電気柵に電圧を印加するための装置たる電気柵本器の盗難を防止するための器具に関する。
【背景技術】
【０００２】
農耕地や果樹園などではイノシシやシカ、その他の小動物（以下、害獣と称する）が侵
入し、作物等を食い荒らすことを防止するために電気柵が用いられることがある。
【０００３】
ここに電気柵とは支柱に取り付けられた碍子によって支えられた、それぞれがプラスあるいはマイナスの電極に接続された裸電線に、パルス状の高電圧を印加するか、あるいはプラス極を裸電線に接続し、マイナス極を地面（アース）に接続して、動物が裸電線に触れると電気ショックによる痛みを感じて退散することで、動物の侵入を防ぐものである。
【０００４】
すなわち、害獣の身体の電気を通しやすい部位がプラス線と地面（又はマイナス線）の両方に同時に触れると感電が起こり、以後、怖がり避けるようになる心理的効果を利用するものである。
【０００５】
図３は一般的な電気柵の設置状態を示すものである。支柱１には、碍子等の絶縁性部材２を介して、裸電線等の導電性部材３が張設される。導電性部材３は電気柵本器４の出力端子に接続される。他方で、電気柵本器４のアース端子と地中に埋設されたアース棒５が接続されるものである。
【０００６】
上述の、裸電線に高電圧を印加するための電源ユニットである電気柵本器の、盗防止装置の先行技術として、例えば実用新案登録第３１４９８６２号公報（特許文献１）記載の考案や、特開２００９−２２２４６号公報（特許文献２）記載の発明などがある。
【０００７】
特許文献１記載の盗難防止具は、地中に杭を埋め込み、該杭と電気柵本器とをワイヤで連結すると共に、電気柵本器とワイヤを錠で固定するというものである。
【０００８】
特許文献２記載の装置は、支柱内に電気柵本器を内蔵させるものである。
【０００９】
また、電気柵本器の盗難を防ぐために、運転開始のためにキーを必要とすると共に、当該キーを抜取り可能としたり、あるいは運転開始のために暗証番号の入力を要するものも市販されている。
【先行技術文献】
【特許文献】
【００１０】
【特許文献１】実用新案登録第３１４９８６２号公報
【特許文献２】特開２００９−２２２４６号公報
【考案の概要】
【考案が解決しようとする課題】
【００１１】
電気柵は害獣が生息する場所、つまりは山間部や森林に近接した場所に設置されることが一般的である。そして、かかる場所は一般に人気が少ない場所が多いことから、電気柵殊に電気柵本器は盗難の被害にあいやすい。
【００１２】
そこで本考案は、電気柵本器の盗難を可及的に防止可能な、電気柵本器盗難防止ユニットを提供することを目的とする。
【課題を解決するための手段】
【００１３】
上記課題を解決するために、本考案は以下のように構成した。
【００１４】
請求項１：略Ｔ字型を呈すると共に長辺に孔部を有する棒体と、棒体の短辺が通過でき            ない形状の係止孔を有する電気柵本器と、棒体を差し込むための孔部を有す            る支柱と、棒体が支柱から抜けることを防ぐための錠とにより構成する。
【００１５】
請求項２：請求項１記載の考案において、係止孔の形状を略方形又は略円形に構成す              る。
【考案の効果】
【００１６】
図１に示されるように、本考案にかかる電気柵本器盗難防止ユニットは、棒体１０、電気柵本器２０、支柱３０及び錠４０とにより構成される。
【００１７】
図２は本考案の具体的設置状態を示すものである。すなわち棒体１０の長辺１２を、電気柵本器２０の係止孔２１及び、支柱３０の孔部３１を貫通させる。そのうえで、長辺１２に設けた孔部１３に、錠４０のツル４１をはめ込み施錠するものである。
【００１８】
棒体１０の短辺１１は電気柵本器２０の係止孔２１を通過できないことから、電気柵本器２０は支柱３０から取り外せない。また、棒体１０は錠４０により施錠されていることから、支柱３０から抜くことは出来ない。かようにして電気柵本器２０の盗難が可及的に防止できるのである。
【００１９】
本考案の具体的且つ重要な効果として、安価という点がある。米農家の１反当たりの収穫は全国平均５３０Ｋｇであり、１俵の値段は１０.０００円（全国平均）である。とすると、売上は１反当たり８万円以下となる。そして電気柵の設置農家の耕地面積は３〜５反が多く、収入は３０万程度に過ぎない。
【００２０】
他方で汎用されている電気柵の値段は、標準品で４３．０００円程度、電源としてソーラーパネルを利用するもので８３．０００円程度である。一般的に鳥獣害等の防止部材にかけられる費用は収入の１０分の１程度であり、電気柵の値段は、使用耐用年数と年度収入の１０分の一の掛け算内に抑えることが望まれる。電気柵本器の値段が装置全体内に占める割合は高く、その盗難は深刻な問題であると共に、頻発もしている。上述の運転開始のためにキーや暗証番号を要するものは、電気柵本器の価格が２〜３万円程度高くなるという難点がある。これに比し、本考案にかかる盗難防止ユニットは、その主な構成要素が棒体と錠であり、非常に安価に抑えることが可能となる。このことは、前記農家の収入状況に鑑み、非常に大きな効果といえる。
【図面の簡単な説明】
【００２１】
【図１】本考案の概略構成図。
【図２】同実施状態を示す説明図。
【図３】一般的な電機柵の設置状態を示す説明図。
【考案を実施するための形態】
【００２２】
以下、好ましい考案の実施形態につき図面を参照しながら説明する。
【００２３】
図１に示すように、本考案は棒体１０、電気柵本器２０、支柱３０及び錠４０より構成されるものである。
【００２４】
棒体１０は略Ｔ字型を呈するものであり、短辺１１及び長辺１２より成るものである。図１において短辺１１は板材、長辺１２は棒材を用いているが、かかる限定を受けるものではなく、短辺１１を棒材その他の形材、長辺１２を板材その他の形材を用いても構わない。
【００２５】
また、長辺１２には錠４０のツル４１を差し込み貫通させるための孔部１３が設けられている。棒体１０の材質は、硬質の樹脂あるいは硬質の金属等、容易に破損できない材料で形成される。
【００２６】
電気柵本器２０は、その電源として交流電源、蓄電器、乾電池、ソーラー電池などいずれも使用可能であり、プラス極（出力端子）、マイナス極（アース端子）、その他電源スイッチや電源ランプ等を備えるものである。そして、前記プラス極に、衝撃電圧を間歇的に印加するものである。
【００２７】
電気柵本器２０の筐体上部には、取っ手をかねた係止孔２１が設けてある。係止孔２１の形状は図１では方形であるが、多角形状（略方形）でも、円形や楕円形等の略円形でも構わない。ただし、係止孔２１の形状、大きさは、棒体１０の短辺１１が通過できないものにする必要がある。さもなければ短辺１１側から電気柵本器１０を取り外すことが可能となり、盗難を防ぎ得ないからである。
【００２８】
支柱３０は合成樹脂製であり、比較的軽量で強度に優れ、耐食性や耐久性を有すると共に、外周部から通電しにくくなされているのが好適に用いられる。尚、この形態に限られるものではなく、木材製の支柱でもよく、鋼管に合成樹脂を被覆したものでもよく、電気柵本気１０を懸架するために充分な強度を有したものを適宜使用することができる。支柱３０には、棒体１０の長辺１２を貫通可能な孔部３１が設けられている。
【００２９】
錠４０は、箱状の本体４２と、Ｕ字型の金属の足たるツル４１から成るものである。本体４１内に装備されるシリンダーを動かすことにより、ツル４１が持ち上がり、一方の足を棒体１０の孔部１３に貫通させ、さらに本体４１の元の位置に押し込むことでロックするものである。尚、この形態の錠に限られるものではなく、閂錠でも、和錠でも、その他棒体１０が支柱３０より抜けることを防ぐことが可能な錠前であれば、任意のものを使用することが出来る。
【符号の説明】
【００３０】
１０・・棒体
１１・・短辺
１２・・長辺
１３・・孔部
２０・・電気柵本器
２１・・係止孔
３０・・支柱
３１・・孔部
４０・・錠
【図１】
0003157646.tif 000003
【図２】
0003157646.tif 000004
【図３】
0003157646.tif 000005